(57)【特許請求の範囲】
【請求項１】
めがねフレーム用盗難防止装置において、該装置が、
めがねフレームの一つの弓柄（３４）をそこに受容するための開口（１８）を形成するハウジング（１０）と、ハウジングを弓柄に固定するためのハウジング内のクランプ手段（２６）と、特別なツール（道具）の使用によってのみ操作可能であってクランプ手段のための回転可能な操作部材（２４）とを具備しており、
弓柄に固定する場合に、めがねフレームを試着することが可能であり、更に弓柄を折り曲げることが可能なようなハウジングの寸法であり、
更に磁気、音響又は電磁の場に影響するための警報要素（３６、３７）を具備するめがねフレーム用盗難防止装置であって、
ハウジング（１０）が、特別なツールにより操作するために操作部材（２４）に到達可能な突き出るソケット（１４）を形成していて更にソケットを通る平面内で２つの部分（１０Ａ、１０Ｂ）に分けられており、警報要素（３６、３７）を具備するワッシャー（２３、２３Ａ、２３Ｂ）が、２つの部分を共に保持するためにワッシャー内の開口に該ソケットを受容するソケットに押しつけられていて更にソケットから引き抜くことに抗してロック（固定）されることを特徴とする
めがねフレーム用盗難防止装置。
【請求項２】
ハウジング（１０）の２つの部分（１０Ａ、１０Ｂ）が同一であることを特徴とする請求項１に記載の盗難防止装置。
【請求項３】
環状のベッド（１５）がソケット（１４）に具備されており、スナップ（ぱちんと適合する）動作によりソケットにワッシャー（２３、２３Ａ、２３Ｂ）を固定することを特徴とする請求項１又は２に記載の盗難防止装置。
【請求項４】
環状のベッド（１５）からハウジング（１０）上の外側の境界面（１２）までの距離がワッシャー（２３、２３Ａ、２３Ｂ）の厚みに実質的に等しいことを特徴とする請求項３に記載の盗難防止装置。
【請求項５】
ワッシャー（２３、２３Ａ、２３Ｂ）が、そこの間に警報要素（３６、３７）を受容していて環状のベッド（１５）及びハウジング（１０）の該外側の境界面（１２）の間でお互いに押しつけ合う２枚の板を具備することを特徴とする請求項４に記載の盗難防止装置。
【請求項６】
クランプ手段が、操作部材を形成するスクリュー（２４）により弓柄（３４）と係合可能であってハウジング（１０）内で移動可能なクランプ板（２６）を具備しており、クランプ板との係合において、ハウジング（１０）が弓柄に固定されている時に、開口（１８）の境界面（３３）に対して弓柄を押しつけることを特徴とする請求項１から５のいずれか一項に記載の盗難防止装置。
【請求項７】
スクリュー（２４）が、弓柄（３４）との係合からクランプ板（２６）を外すために回転する場合に、クランプ板から完全にねじで回して外すことが出来ることを特徴とする請求項６に記載の盗難防止装置。
【請求項８】
スクリューがクランプ板から完全にねじにより回して外される場合に、クランプ板（２６）が、スクリュー（２４）に対して弾性的に押しつけられることを特徴とする請求項７に記載の盗難防止装置。
【発明の詳細な説明】
【０００１】
本発明は、めがねフレーム用盗難防止装置に係わり、めがねフレームの一つの弓柄をそこに受容するための開口を形成するハウジングと、ハウジングを弓柄に固定するためのハウジング内のクランプ手段と、特別なツール（道具）の使用によってのみ操作できるクランプ手段のための回転可能な操作部材と、弓柄に固定される場合に、めがねフレームを試着することが可能であり更に弓柄を折り曲げることが可能なようなハウジングの寸法であり、更に磁気、音響又は電磁の場に影響するための警報要素とを具備する。
【０００２】
この種類の盗難防止装置は、ＥＰ−Ｂ１−０  ４２５  ５１５に図示及び記述されている。そこに記述される盗難防止装置の実施の形態において、ハウジングは、そこから実質的に垂直に突き出る位置又は弓柄に沿ってそこから斜めの角度で突き出る位置で弓柄に設置される延長されたソケットを具備する。警報要素はソケットに取り付けられたカバーの下に設置される。
【０００３】
従来技術の実施の形態は、盗難防止装置に関連する要求を良く満たしており、即ち突き出ためがねフレームから装置を許可なく取り外し可能ではなく、更に装置は、多数のめがねフレームに関する限りは、それの試着においてめがねフレームに取り付けて残すことが出来る。しかし、めがねフレームには非常に多くの種類があり、「高い」弓柄を有するめがねフレームが関係する限りでは、盗難防止装置は弓柄に固定できないし、テーパー付きの（徐々に傾斜する）弓柄が関係する限りは、結合されたクランプ手段を解かないで盗難防止装置を弓柄から引き抜くことが出来るというリスクがある。盗難防止装置は試着を妨害しないにもかかわらず、特定のタイプの陳列ラック内のめがねフレームを陳列する場合に、それが邪魔になる場合があり、それにより必要なタイプの陳列の選択の可能性を制限する。
【０００４】
本発明の目的は、上記に鑑みて該欠点を克服し、その上簡単な方法で製造可能であり、従ってＥＰ−Ｂ１−０  ４２５  ５１５に記述される実施の形態より安価な種類の盗難防止装置を提供することである。
【０００５】
該目的に関して、本発明による盗難防止装置は、請求項１の特徴のある形態により実現する。
本発明をより明確に説明するために、添付図面を参照すると共に以下で説明する。
【０００６】
図１から６を参照すると図面に示される盗難防止装置は、例えば、ポリカーボネートの様なプラスチックから構成されることが好ましいハウジング１０を具備しており、このハウジングは楕円形の曲面１１及び２つの端面１２と１３を有する。しかしハウジングは、任意の別の適当な形であって良い。円周方向の端部ベッド１５を有する円筒状のソケット１４には、端面１２からソケットの自由端に面する傾斜するフランク（側面）１６を形成する該端部ベッド１５及びソケットに垂直な肩面１７が突き出る。ハウジング１０は、端面１２と１３に平行にハウジングを通り横方向に伸長する四角形の開口１８を形成しており、更に直径に沿って向き合う軸方向の２つの溝１９を形成する。
【０００７】
ハウジング１０は、楕円形の曲面の主軸に沿って伸長する対称な平面内で２つの同一な半分１０Ａと１０Ｂに分割されており、図１ではその半分は、点鎖線１０Ｂ’により指示されている。ハウジングの製作において２つの半分は２つの独立の要素として射出成形できるが、それらはまたウェッブ２０においてお互いに一体で射出成形できるので、ハウジングを完成するために図１の点鎖線１０Ｂ’で指示される半分は、実線で指示される下部の半分１０Ａに折り重なる。各半分は、２つの半分が共に設置される場合に、相互に係合する嵌合穴２２及びガイドピン２１を有する。但し２つの半分は必ずしも、対称又は同一である必要はないことを認識するべきである。
【０００８】
ハウジング１０の２つの半分を共に保持するために、その（ワッシャー）開口でワッシャー２３をソケット１４に押して、環状のベッド１５の内側に設置して、該ワッシャーはベッド１５と端面１２間に受容できる様な厚みを有する。傾斜するフランク１６により、環状のベッド上で合理的な力によって管状のベッドと端面１２の間の目標の位置にワッシャーを押すことが出来るが、その一方で反対の肩面１７はソケットからのワッシャーの引き抜きを防止する。半分１０Ａと１０Ｂはワッシャー２３単独で共に保持できるが、これとは別に半分は溶接、リベット、締め金（スナップ）作用又は別の方法によりお互いに取り付け可能である。
【０００９】
平らな頭部２５を有するスクリュー２４は、ソケットの内側の環状の溝に回転可能に受容される頭部の環状のフランジ２５’により、ソケット１４に回転可能に設置され、軸方向に保持される。四角形のクランプ板２６は、溝１９の隅部突起２７で案内される。通し穴が、スクリューを受容するスリーブ及びクランプ板を通り伸長しており、その長さの部分にわたりスリーブの自由端に近接する内側のスクリューねじ２９を有しており、その一方でスクリュー２４は、頭部の反対側のスクリューの端部に近接するそれ（スクリュー２４）の長さの部分、即ち概略長さの半分、にわたり外側のスクリューねじ３０を有する。スクリュー及び開口のねじは、左手ねじである。クランプ板２６は、板の下部側でこぶ状の突起３１でハウジングの境界面１２Ａに係合できる。スクリュー２４が左向きに回転する場合に、クランプ板２６は図５に従って開位置へ移動し、最終的にこぶ状突起３１でハウジングの境界面１２Ａに係合する。その後スクリューは、開口のねじを緩めて外すために、更に左向きに回転可能であり、クランプ板は該境界面に向かって弾性的に少し曲がる（ｙｉｅｌｄｉｎｇ）ので、開口内のスクリューねじ２９の内側の端部は、スクリューのスクリューねじ３０の内側の端部に対して保持される。左向きにスクリューを連続的に回転すると、クランプ板はその後アイドリング（空回転）するスクリューから外れる。
【００１０】
開口３２は頭部２５内に形成されており、該開口はそれの中心に近接する頭部に偏心して設置される。中心までの距離は、０．８ｍｍオーダーであって良い。スクリューを回転するために、ソケット１４に導入されて開口３２に係合可能であって、手動又はモーター駆動で運転するように設計できる特別のツールが必要である。頭部２５にはプライア又は類似品では届かないし、開口及び頭部２５の中心の間の距離に相当する短いクランクであるので、開口３２に挿入されるピン又は類似品によりスクリューを回転するために、大きなトルクが必要であるので、スクリューは特別なツールによる方法以外では操作できない。
【００１１】
スクリュー２４が右向きに回される場合に、スクリューのスクリューねじ３０は、弾性的に押し下げられたクランプ板によりスクリューねじの端部に対して作用する圧力の下で、開口のスクリューねじ２９に係合するので、クランプ板２６は開口１８の向き合う境界面３３に対してねじ込まれて、図６に従う閉位置でこの面に対して挟むことが可能である。
【００１２】
記述の盗難防止装置が、めがねフレームに適用される場合に、図７と８で点鎖線３４により指示される１本の弓柄は、盗難防止装置が図５に従う開位置にある状態で開口１８を通過する。クランプ板２６はその後、スクリュー２４を特別なツールにより、右向き即ち図１と７で示すように時計回転方向に回すことにより閉位置に移動し、クランプ板が弓柄に係合するので、これはクランプ板２６とハウジングの向き合う境界面３３の間に挟まれる。スクリューが手動又はモーターでしっかり締め付けられるので、ハウジングは弓柄にしっかりと固定されており、弓柄が損傷を受けず、ハウジングと弓柄の間の摩擦係合が増加するように、クランプ板２６及びハウジングの向き合う境界面３３がそれぞれ、例えばゴム等の適切な摩擦材料３５によりカバーされる。スクリューを、盗難防止装置が破損するかあるいは弓柄が損傷するほど強く締め付けることが出来ないので、ツールからスクリューに伝達可能なトルクを制限するトルクセンサーが、手動で操作される特別なツールのハンドル又はモータ駆動の特別なツールの駆動手段に具備できる。
【００１３】
盗難防止装置が、図１と７に示すように、回転するスクリュー２４により、弓柄から左向き、即ち反時計回りに緩められる場合に、トルクは盗難防止装置に組み込まれた取り外し機能により、盗難防止装置の一杯に開けられた位置で制限されるので、クランプ板をハウジングに過剰に強く締め付けることは出来ない。
【００１４】
図７と８のワッシャー２３は、電磁場に影響を与えるための警報要素を設置するように意図されており、コイル３６として製作されているので、ワッシャーは円形で製作される。コイルは、ワッシャーから外れることが出来ないように配置されなければならない。それは、ワッシャーに型成形されるか又は、お互いに係合していて、ワッシャーを形成する該板にたぶん互いに接続する２枚の円形（ｃｉｒｃｕｌａｔｅ）の板の間に設置される。１方の板の内側の面に接着できる警報要素に達するために、この様に製作されたワッシャーがソケットに配置される場合に、環状のベッドからハウジングの外側の境界面への距離が、設置されるワッシャーの厚みに実質的に等しいので、該板がお互いに接着しない場合でさえも分離できないという事実により、２枚の板は環状のベッド１５と端面１２の間でお互いに押しつけ合って保持出来る。板は同一である必要はなく、それらがお互いに接続する場合に、接続は溶接、リベット、スナップ作用又は別の方法により接続できる。
【００１５】
警報要素はまた、別の種類の場に関して、延長された要素であるいわゆるダイオードを具備可能であり、その様な警報要素の設置に関してワッシャーは、ダイオードが３７で指定される図９に従い製造できる。図９に示すワッシャー２３Ａは四角形であり、ハウジングの一方の短い側に設置される。ワッシャーは、実線で指示されるように、弓柄３４から下方向に向けることが出来るが、陳列ラック内のめがねフレームを陳列するために最適な位置によって、それは同様に点鎖線により指示されるように、弓柄に沿った方向を向くことが出来る。
【００１６】
図１０において四角形であるが、それの一方の長手側の中心においてハウジングに設置されるこれとは別のワッシャー２３Ｂが図示される。
図９と１０による実施の形態において２枚の板は、ワッシャーを共に形成していて警報要素を囲むことが出来るが、必ずしもお互いに接着する必要はない。板はそれぞれ、ワッシャーがソケット１４に設置される側に向き合う短手側又は長手側において１つのピースとして製作されることが好ましく、共に折り曲げられて警報要素を囲み、更にソケットにワッシャーを設置することにより、折り曲げられた位置で保持される。
【００１７】
ワッシャーにより支持される特別な形状の要素を考慮するために、又は盗難防止装置により防御されるめがねフレームが陳列される特定の陳列ラックにワッシャーを適合するために、ここで示される以外の別の方法で、あるいは別の形態の検討において、ワッシャーを形成することが可能である。
【００１８】
本発明による盗難防止装置は、お互いに容易に接続可能であって、ソケット１４に押しつけられるワッシャー２３単独で単純な状態で共に保持されていて、単に非常に骨が折れるがツールを使用してそこから取り外しできる少数の単純な要素により構成されるので、非常に単純な構造であることは上記から明白であると考えられる。盗難防止装置は、異なる種類の弓柄に容易に適用可能であり、目標の位置に確実に保持される。更なる利点は、警報要素のための場所がそこには必要ないことにより、ハウジング１０を小さな寸法で形成できることである。
【図面の簡単な説明】
【図１】  図１は、クランプ手段のための操作部材が特別なツールにより操作するために到達可能な側から見た場合の盗難防止装置のハウジングを形成する部分の端部の図面である。
【図２】  図２は、盗難防止装置の平面図である。
【図３】  図３は、盗難防止装置の側面図である。
【図４】  図４は、図１の線ＩＶ−ＩＶに沿って切断された横断面図である。
【図５】  図５は、図２の線Ｖ−Ｖに沿って切断された横断面図であって、開位置にある盗難防止装置を開示する。
【図６】  図６は、図５に対応する横断面図であるが、閉位置にある盗難防止装置を開示する。
【図７】  図７は端部の図である。
【図８】  図８は、点鎖線により部分的に指示される弓柄に設置された盗難防止装置の平面図であり、盗難防止装置の一部分を形成していて警報要素のためのワッシャーの実施の形態を開示する。
【図９】  図９は、図７に対応する側面図であるが、ワッシャーの別の実施の形態を開示する。
【図１０】  図１０は、図７に対応する側面図であるが、ワッシャーの更に別の実施の形態を開示する。
【図１】
0003954306.tif 000002
【図２】
0003954306.tif 000003
【図３】
0003954306.tif 000004
【図４】
0003954306.tif 000005
【図５】
0003954306.tif 000006
【図６】
0003954306.tif 000007
【図７】
0003954306.tif 000008
【図８】
0003954306.tif 000009
【図９】
0003954306.tif 000010
【図１０】
0003954306.tif 000011